(57)【要約】  本発明は、印刷領域（２）を備えたオブジェクト（１）に関し、印刷領域（２）では、光学的に識別可能なパターン（３）が配置され、パターンは、磁化可能粒子および／または磁気粒子（７）を含むカラー印刷媒体を用いて印刷され、印刷領域（２）は、互いに異なる磁気特性を有する少なくとも２つのサブ領域（４、５）を有する。  【選択図】    図１
2019509187.tif 000002
【特許請求の範囲】
【請求項１】
印刷領域（２）を有するオブジェクト（１）であって、
前記印刷領域（２）において光学的に識別可能なパターン（３）が配置されており、
前記パターン（３）は、磁化可能粒子および／または磁気粒子（７）を含むカラー印刷媒体を用いて印刷され、
前記印刷領域（２）は、互いに異なる磁気特性を有する少なくとも２つのサブ領域（４、５）を有するものである、
オブジェクト。
【請求項２】
請求項１記載のオブジェクトにおいて、
前記少なくとも２つのサブ領域（４、５）は、前記サブ領域（４、５）のうちの１つの少なくとも１つの縁部（１４）が前記光学的に識別可能なパターン（３）のモノクロパターン領域の縁部と重ならないような態様で、当該パターン（３）と独立して配置されるものである、オブジェクト。
【請求項３】
請求項１または２記載のオブジェクトにおいて、
前記印刷領域（２）は、少なくとも１つの非均質領域（６）を有し、前記非均質領域（６）は、
均等色および不均等な磁化、または、
均等な磁化および不均等色のいずれかを有するものである、
オブジェクト。
【請求項４】
請求項１〜３のいずれか１つに記載のオブジェクトにおいて、
前記印刷媒体は、着色剤および／または顔料を有し、
前記顔料は、前記磁化可能粒子および／または前記磁気粒子を含み、
および／または、
前記印刷媒体は、前記磁化可能粒子および／または前記磁気粒子の、４０体積％〜７０体積％の充填度を有するものである、
オブジェクト。
【請求項５】
請求項１〜４のいずれか１つに記載のオブジェクトにおいて、
前記磁化可能粒子（７）は、顔料、セラミック粒子、および／または、希土類金属を有し、
前記磁気粒子は、硬磁気粒子、顔料、微小磁石、セラミック粒子、および／または、希土類金属を有し、および／または、
前記磁化可能粒子および／または前記磁気粒子（７）のサイズ分布の平均は、２μｍ未満である、
オブジェクト。
【請求項６】
請求項１〜５のいずれか１つに記載のオブジェクトにおいて、
前記サブ領域のうちの１つは異方性領域であり、前記異方性領域は、特定の磁化方向を有する磁気的異方性を有し、
前記サブ領域のうちの他方は別の異方性領域であり、前記異方性領域の前記特定の磁化方向は、前記別の異方性領域の特定の磁化方向とは異なるものである、
オブジェクト。
【請求項７】
請求項１〜６のいずれか１つに記載のオブジェクトにおいて、
前記サブ領域（４、５）から磁気的に読み取り可能な情報と、
前記光学的に読み取り可能なパターン（３）内に含まれる光学的に読み取り可能な情報とを含む、
グループからの一方の情報は、当該グループに含まれる他方の情報に依存して評価されるものである、
オブジェクト。
【請求項８】
請求項７記載のオブジェクトにおいて、
前記グループの一方の情報は論理鍵（１２）を有し、前記論理鍵（１２）は、前記グループに含まれる前記他方の情報を復号化および／または、検証するために使用されるものである、
オブジェクト。
【請求項９】
請求項１〜８のいずれか１つに記載のオブジェクトにおいて、
前記オブジェクト（１）は、工業製品、工業的に製造された製品、イベントのためのチケット、地方公共交通機関のためのチケット、料金支払のためのチケット、駐車のためのチケット、注文のためのパッケージ、製品のためのパッケージ、ラベル、および／または、薬剤のためのパッケージを有し、
前記少なくとも２つのサブ領域（４、５）から、製品識別情報、製品バッチ番号、製造場所、製造日、有効期限（８）、オブジェクト（１）のための検定機関証明マーク（１０）、製品名、シリアル番号、特徴的な製品シンボル、および／または時間を予測することが可能なものである、
オブジェクト。
【請求項１０】
請求項９記載のオブジェクトにおいて、
前記少なくとも２つのサブ領域（４、５）から、さらに、前記オブジェクト（１）を使用するために提供されたデバイスにおける前記オブジェクト（１）の使用情報（９）を予測することが可能なものである、
オブジェクト。
【請求項１１】
請求項１〜１０のいずれか１つに記載のオブジェクトにおいて、
前記少なくとも２つのサブ領域（４、５）のうちの１つ（４）は、実質的に磁化されておらず、
前記少なくとも２つのサブ領域（４、５）のうちの１つは、前記印刷領域の印刷面に対して垂直または平行な磁極方位および／または磁気的異方性を有し、および／または、
前記少なくとも２つのサブ領域（４、５）は、磁気的な読み取り方法を使用して読み取り可能な２進数符号（１１）を有するものである、
オブジェクト。
【請求項１２】
印刷領域（２）を有するオブジェクト（１）へ情報を適用するための方法であって、
前記印刷領域（２）において光学的に識別可能なパターン（３）が提供され、前記パターンは（３）磁化可能粒子および／または磁気粒子（７）を含むカラー印刷媒体を用いて印刷されるものであり、この方法は、
互いに異なる磁気特性を有する前記印刷領域（２）の少なくとも２つのサブ領域（４、５）を提供する工程を含む、
方法。
【請求項１３】
請求項１２記載の方法において、
前記印刷領域（２）が、互いに異なる磁気特性を有する少なくとも２つのサブ領域（４、５）を有するように、前記印刷領域（２）の前記少なくとも１つのサブ領域（４、５）を磁化する工程を含むものである、
方法。
【請求項１４】
請求項１２または１３記載の方法において、
前記印刷媒体の接着剤の硬化前に、前記印刷媒体の前記磁化可能粒子および／または前記磁気粒子が磁力線に沿って配向する磁場を前記印刷領域の少なくとも１つの部分に形成することにより、磁気的異方性領域を生成する工程を含むものである、方法。
【請求項１５】
印刷領域（２）を有するオブジェクト（１）から情報を読み取るための方法であって、
前記印刷領域（２）において光学的に識別可能なパターン（３）が提供され、
前記パターン（３）は、磁化可能粒子（７）を含むカラー印刷媒体を用いて印刷されるものであり、
前記印刷領域（２）は、互いに異なる磁気特性を有する少なくとも２つのサブ領域（４，５）を有し、この方法は、
前記パターン（３）から予測される光学的に符号化された情報を判定する工程と、
前記磁気サブ領域（４、５）から磁気的に読み取り可能な磁気的に符号化された情報を判定する工程と
を含む、方法。
【請求項１６】
請求項１５記載の方法において、
前記光学的に符号化された情報および前記磁気的に符号化された情報に基づいて、追加情報を判定する工程を含むものである、方法。
【請求項１７】
請求項１５または１６記載の方法において、
前記磁気的に符号化された情報は、前記光学的に識別可能なパターンのサブ領域の磁気的異方性を有するものである、方法。
【発明の詳細な説明】
【技術分野】
【０００１】
本発明は、印刷領域を備えたオブジェクト、オブジェクトへ情報を適用するための方法、および、オブジェクトから情報を読み取るための方法に関する。
【背景技術】
【０００２】
従来、製品は種々の手法で識別される。たとえば、製品は、たとえば製品のためのパッケージに印刷されたバーコードまたはＱＲコードが提供される。バーコードおよびＱＲコードは、光学的方法によって読み取られることができ、製品は、データベースとの比較によって識別される。製品はまた、たとえば、製品へ刻印されるシリアル番号を提供される。シリアル番号もまた、光学的方法によって読み取られる。しかしながら、汚れが、光学的方法を、誤り易くさせることが短所である。
【０００３】
また、製品を磁気的に識別することも可能である。たとえば、駐車のためのチケットは、磁化によって書き込まれる磁気フィルムを有する。書き込まれたフィルムは、その後、磁気的方法を使用して読み取られる。
【０００４】
また、ＲＦＩＤ法（英語名：ｒａｄｉｏ−ｆｒｅｑｕｅｎｃｙ  ｉｄｅｎｔｉｆｉｃａｔｉｏｎ）では、たとえば、製品または生物にトランスポンダを備えることも慣例的である。トランスポンダは、読取デバイスによって読み取られる識別コードを有する。しかしながら、ＲＦＩＤ法は、特にトランスポンダのために、比較的高コストという短所を有する。
【発明の概要】
【発明が解決しようとする課題】
【０００５】
本発明の目的は、代替的な手法で情報を用いて識別されるオブジェクトのみならず、情報を適用するための代替方法、および、情報を読み取るための代替方法を生成することである。  
【課題を解決するための手段】
【０００６】
この目的は、請求項１、１２、および１５の特徴で達成される。
【０００７】
本発明にかかるオブジェクトは、印刷領域を有し、印刷領域では、光学的に識別可能なパターンが配置され、このパターンは、磁化可能粒子および／または磁気粒子を含むカラー印刷媒体を用いて印刷され、印刷領域は、互いに異なる磁気特性を有する少なくとも２つのサブ領域を有する。
【０００８】
異なる磁気特性は、サブ領域が磁化されているか、または、磁化されていないという事実にあり、サブ領域は、硬磁性または軟磁性であり、サブ領域は、磁気的に異方性であるか、または、磁気的に等方性であり、サブ領域は、空間中の異なる方向において異方性であり、および／または、サブ領域は、強磁性または非強磁性である。カラー印刷媒体は、黒色および／または白色を含む任意の色からなってもよい。印刷媒体は、たとえば、磁気インクである。磁気インクは、たとえば、手作業によって、または、インクジェットプリンタによって、オブジェクトへ適用される。
【０００９】
オブジェクトによって、有利なことに、パターンに追加情報を収容するために、異なる磁気特性を使用することが可能である。したがって、省空間的手法で、オブジェクトに情報を収容することが可能であるか、または、パターンのみを用いて可能であるよりも、より多くの情報を、オブジェクトの領域に収容することが可能である。異なる磁気特性を有するサブ領域は、人間の目に感知不能なように、または、光学測定方法に見えないように適用され得、これによって、ある程度、パターン内の情報を隠蔽することが可能となる。
【００１０】
好適には、少なくとも２つのサブ領域は、サブ領域のうちの１つの少なくとも縁部が、光学的に識別可能なパターンのモノクロパターン領域の縁部と重ならないような態様で、当該パターンと独立して配置される。
【００１１】
好適には、印刷領域は、少なくとも１つの非均質領域を有し、非均質領域は、均等色および不均等な磁化、または、均等な磁化および不均等色のいずれかを有する。したがって、有利なことに、色情報と磁気情報とを組み合わせることが可能である。色情報と磁気情報とが組み合わされた場合にのみ情報が読み取られるように、情報を符号化することが可能である。したがって、色情報および磁気情報が互いに別々に暗号化された場合に可能になるよりも、より安全に情報を暗号化することが可能である。
【００１２】
好適には、印刷媒体は、着色剤および／または顔料を有し、顔料は、磁化可能粒子および／または磁気粒子を含み、および／または、印刷媒体は、磁化可能粒子および／または磁気粒子の、４０体積％〜７０体積％の充填度を有する。さらに、印刷媒体は、実質的に接着剤を含み、それに加えて、溶剤を提供してもよい。接着剤は、オブジェクトへの印刷媒体の接着を保証する。溶剤は、着色剤を溶かすために提供される。磁化可能粒子および／または磁気粒子の、４０体積％〜７０体積％のパーセンテージは、パターンの高い磁性化を、同時の強い粘着力とともに、有利に達成する。約５０体積％の充填度は、この観点において、特に好適である。コストの理由で、顔料が磁化可能粒子および／または磁気粒子を含んでいるのであれば、磁化可能粒子を着色剤および／または顔料へさらに提供する必要はないので、特に有利である。
【００１３】
好適には、磁化可能粒子は、顔料、セラミック粒子、および／または、希土類金属を有し、磁気粒子は、硬磁気粒子、顔料、微小磁石、セラミック粒子、および／または、希土類金属を有し、および／または、磁化可能粒子および／または磁気粒子のサイズ分布の平均は、２μｍ未満である。硬磁気粒子は、強い磁場強度を有しているので有利である。顔料は、磁石と着色剤との両方として機能するので、有利である。セラミック金属は、その耐化学性により有利である。希土類金属は、高い磁場強度を有する。磁化可能粒子が、たとえば、球状であれば、そのサイズは、粒子直径を示す。磁化可能粒子の形が、球状以外であれば、そのサイズは、磁化可能粒子において生じる最大寸法である。小さな粒子サイズにより、磁化可能粒子および／または磁気粒子は、特に、既に磁化された状態にある硬磁気粒子である場合、外部磁場に向けることは特に容易であるので、サブ領域の特に強い磁化の達成を可能にする。
【００１４】
好適には、印刷領域は異方性領域を有し、異方性領域は好適な磁化方向を有する磁気的異方性を有する。また、印刷領域は別の異方性領域を有し、前記異方性領域の好適な磁化方向は、この別の異方性領域の好適な磁化方向とは異なる。それゆえ、１つのサブ領域から別のサブ領域への移行は、有利なことに、磁場強度ベクトルの方向における変化に基づいて、簡単な手法で検出される。このパターンはまた、磁場強度ベクトルの方向によって符号化される追加情報を収容できる。
【００１５】
好適には、サブ領域から磁気的に読み取られる１つの情報と、光学的に読み取り可能なパターン内に含まれる光学的に読み取り可能な１つの情報とを含む、グループからの１つの情報が、グループに含まれる別の１つの情報に依存して評価される。これは、情報が、有利に符号化されることを可能にする。情報の復号化は、光学的に読み取り可能なデータと、磁気的に読み取り可能なデータとの両方が読み取られた場合にのみ起こる。好適には、この点について、グループからの１つの情報は、論理鍵を有し、論理鍵は、グループに含まれる他の１つの情報を復号化するために、および／または、グループに含まれる他の１つの情報を検証するために、使用される。それゆえ、暗号化されたデータを復号化するための鍵が、オブジェクトと共に提供される。
【００１６】
オブジェクトは、好適には、工業製品、工業的に製造された製品、イベントのためのチケット、地方公共交通機関のためのチケット、料金支払のためのチケット、駐車のためのチケット、注文のためのパッケージ、製品のためのパッケージ、ラベル、および／または、薬剤のためのパッケージを有し、好適には、少なくとも２つのサブ領域から、製品識別情報、製品バッチ番号、製造場所、製造日、有効期限、オブジェクトのための検定機関証明マーク、製品名、シリアル番号、特徴的な製品シンボル、および／または時間を予測することが可能である。
【００１７】
好適には、少なくとも２つのサブ領域から、オブジェクトを使用するために提供されたデバイスにおけるオブジェクトの使用法情報を予測することが可能である。したがって、デバイスにおけるオブジェクトの使用における自動化を達成することが可能である。
【００１８】
好適には、少なくとも２つのサブ領域のうちの１つは、実質的に磁化されておらず、少なくとも２つのサブ領域のうちの１つは、印刷領域の印刷面に対して垂直または平行な磁極方位および／または磁気的異方性を有し、および／または、少なくとも２つのサブ領域は、磁気的な読み取り方法を使用して読み取られる２進数符号を有する。実質的に磁化されていないサブ領域から、磁化されたサブ領域への移行が生じる場合、または、磁場強度ベクトルの方位が、印刷面に垂直または水平である場合、有利なことに、誤りの無い読取がなされる。２進数符号は、特に、実質的に磁化されていないサブ領域および磁化されたサブ領域によって、または、反対方向に配向された磁場強度ベクトルを有するサブ領域によって、２進数符号化が実行される場合、同様に簡単な方式で読み取られる。
【００１９】
印刷領域を有するオブジェクトへ情報を適用するための本発明にかかる方法であって、印刷領域において光学的に識別可能なパターンが提供され、このパターンは、磁化可能粒子および／または磁気粒子を含むカラー印刷媒体を用いて印刷されるものであり、本方法は、
互いに異なる磁気特性を有する印刷領域の少なくとも２つのサブ領域を提供する工程を有する。この提供する工程は、オブジェクトへの印刷領域の適用中に生じるか、または、その後の任意のポイントにおいて行われる。好適には、少なくとも２つのサブ領域によって書き込まれた情報は、削除されるか、および／または、新たな情報で上書きされる。したがって、有利なことに、印刷領域に情報を、可変的な手法で収容することができる。
【００２０】
印刷前に、磁化可能粒子および／または磁気粒子の集塊を阻止するために、印刷媒体が攪拌され得、および／または、ふるいが印刷媒体のフローに提供される。ふるいのメッシュ穴は、個々の磁化可能粒子および／または磁気粒子が、ふるいを貫通するが、粒子の集塊が、ふるいによって保持されるような寸法とされる。
【００２１】
本方法は、好適には、印刷領域が、互いに異なる磁気特性を有する少なくとも２つのサブ領域を有するように、印刷領域の少なくとも１つのサブ領域を磁化する工程を有する。
【００２２】
好適には、本方法は、印刷媒体の接着剤の硬化前に、印刷媒体の磁化可能粒子および／または磁気粒子が磁力線に沿って配向する磁場を前記印刷領域の少なくとも１つの部分に形成することにより、磁気的異方性領域を生成する工程を有する。これは、印刷媒体において既に磁化状態にある硬磁気粒子のために特に適切である。磁化可能粒子および／または磁気粒子が磁場によって配向され、この配向が、接着剤の硬化によって適所に固定されるという観点から、異なる磁気特性を有するサブ領域が生成される。少なくとも２つのサブ領域を使用して書き込まれた情報は、削除されるか、および／または、接着剤を溶かし、印刷領域の少なくとも一部に新たな磁場を生成することによって、新たな情報で上書きされる。
【００２３】
印刷領域を有するオブジェクトから情報を読み取るための本発明にかかる方法であって、印刷領域では、磁化可能粒子および／または磁気粒子を含むカラー印刷媒体を用いて印刷された光学的に識別可能なパターンが提供され、印刷領域は、互いに異なる磁気特性を有する少なくとも２つのサブ領域を有し、本方法は、パターンから予測される光学的に符号化された情報を判定する工程と、磁気サブ領域から磁気的に読み取られる磁気的に符号化された情報を判定する工程とを有する。また、情報を光学的に符号化された情報および、磁気的に符号化された情報に冗長的に収容することも可能である。この場合、汚れが生じている場合、情報は依然として、磁気的に符号化された情報から確実に読み取られる。類似して、磁気的に符号化された情報が、磁場によって上書きされている場合、情報は、依然として、光学的に符号化された情報から確実に読み取られる。
【００２４】
好適なことに、本方法は、光学的に符号化された情報と、磁気的に符号化された情報とに依存して、追加の情報を判定する工程を有する。好適には、磁気的に符号化された情報は、パターンのサブ領域の磁気的異方性を有する。
【００２５】
本発明は、添付された概念図に基づいて、以下に、より詳細に説明されるであろう。
【図面の簡単な説明】
【００２６】
【図１】図１は、第１のオブジェクトを図示する。
【図２】図２は、図１からの詳細を図示する。
【図３】図３は、第２のオブジェクトを図示する。
【図４】図４は、第３のオブジェクトを図示する。
【図５】図５は、第４のオブジェクトを図示する。
【図６】図６は、第５のオブジェクトを図示する。
【発明を実施するための形態】
【００２７】
図１および図３〜図６から明らかなように、オブジェクト１は、印刷領域２を有する。印刷領域２では、光学的に識別可能なパターン３が提供される。これは、磁化可能粒子および／または磁気粒子７を含むカラー印刷媒体を用いて印刷される。印刷領域２は、互いに異なる磁気特性を有する少なくとも２つのサブ領域４、５を有する。
【００２８】
異なる磁気特性は、少なくとも２つのサブ領域４、５が磁化されているか、または磁化されていない、サブ領域４、５が、硬磁性または軟磁性である、サブ領域４、５が、磁気的異方性であるか、または磁気的な等方性である、サブ領域４、５が、空間中の異なる方向において異方性である、および／または、サブ領域４、５が、強磁性または非強磁性である、という事実に依ることができる。
【００２９】
印刷媒体は、たとえば、磁気インクである。印刷媒体は、磁化可能粒子および／または磁気粒子７の、４０体積％〜７０体積％の充填度、特に、約５０体積％の充填度を有する。残りは、実質的に溶剤および／または接着剤である。印刷媒体またはインクは、着色剤および／または顔料を有する。顔料は、磁化可能粒子および／または磁気粒子７を含むことができるが、および／または、顔料は、磁化可能および／または磁気粒子７からなることができる。
【００３０】
磁化可能粒子および／または磁気粒子７は、硬磁気粒子、顔料、微小磁石、セラミック粒子、および／または、希土類金属を有することができる。磁化可能粒子および／または磁気粒子はまた、２μｍ未満である磁化可能粒子および／または磁気粒子７のサイズ分布の平均を有する。たとえば、磁化可能粒子および／または磁気粒子７は、球状であってもよい。この場合、サイズは、粒子直径である。また、磁化可能粒子および／または磁気粒子７の形状は、球状以外であることも考えられる。この場合、サイズは、磁化可能粒子および／または磁気粒子７において生じる最長の直径である。
【００３１】
図１にかかる第１のオブジェクト１では、少なくとも２つのサブ領域４、５は、これらサブ領域４、５のうちの１つの少なくとも１つの縁部１４が光学的に識別可能なパターン３のモノクロパターン領域の縁部と重ならないような態様で、当該パターン３と独立して配置される。第１のオブジェクト１では、印刷領域２は、モノクロで印刷され、長方形の形状を有する。印刷領域２は、２つのサブ領域４、５を有し、サブ領域５は、特定の読み取り可能な形状を有する。この場合、特定の読み取り可能な形状は文字であるが、他の任意の形状を有することも考えられる。印刷領域２の残りは、サブ領域４から構成される。
【００３２】
図２は、図１からの、具体的には、サブ領域４とサブ領域５との両方を含む印刷領域２の一部分の詳細を図示する。図２から明らかであるように、サブ領域４、５の両方が、磁化可能粒子および／または磁気粒子７を含む。図２にかかる磁化可能粒子および／または磁気粒子７は、Ｎ極およびＳ極を有し、これは、磁化されていることを意味する。たとえば、図２にかかる磁化可能粒子および／または磁気粒子７は、硬磁気粒子であってもよい。サブ領域５では、磁化可能粒子および／または磁気粒子７はすべて、同じ方向に配向され、サブ領域５において巨視的磁化が起こる。これは、サブ領域５が磁化されたことを意味する。サブ領域４における磁化可能粒子および磁気粒子７は、統計的に空間において複数の方向に配向されるため巨視的磁化は起こらない。これは、サブ領域４が磁化されていないことを意味する。
【００３３】
図１および図２から明らかなように、印刷領域２は、少なくとも１つの非均質領域６を有し、非均質領域６は、均等色および不均等な磁化を有する。代替的に、非均質領域６は、均等な磁化および不均等色を有することが考えられる。また、印刷領域は、均等色および不均等な磁化を有する少なくとも１つの非均質領域６と、不均等色および均等な磁化を有する少なくとも１つの他の非均質領域６との両方を有することも考えられる。
【００３４】
図３にかかる第２のオブジェクト１は、サブ領域５が、有効期限８の形態で埋め込まれているという点において、図１および図２にかかる第１のオブジェクト１と異なる。それに加えて、印刷領域２はモノクロではなく、書込みを含む。
【００３５】
図４にかかる第３のオブジェクト１は、少なくとも２つのサブ領域４、５を有し、ここから、第３のオブジェクト１の検定機関証明マーク１０を予測することが可能である。少なくとも２つのサブ領域４、５から、オブジェクト１の使用のために提供されたデバイスにおいて、オブジェクト１の使用に関する使用法情報９を予測することが可能である。たとえば、この使用法情報は、第３のオブジェクト１がデバイスへ挿入されるべき方向に関する情報である。
【００３６】
一方、図４にかかる少なくとも２つのサブ領域４、５は、磁気的な読み取り方法を使用して読み取られる２進数符号１１を有する。
【００３７】
図５にかかる第４のオブジェクト１は、駐車のためのチケットである。第４のオブジェクト１は、印刷領域２を有し、この上に、光学的に読み取り可能な情報が印刷される。少なくとも２つのサブ領域から磁気的に読み取られる、たとえば時間のような情報が加えられる。
【００３８】
図６にかかる第５のオブジェクト１は、サブ領域４、５から磁気的に読み取られる１つの情報と、光学的に読み取り可能なパターン３内に含まれる光学的に読み取り可能な１つの情報とを含むグループからの１つの情報が、グループに含まれる他の１つの情報に依存して評価されるという事実に着目する。グループからの１つの情報は、論理鍵１２を有し、そして論理鍵１２は、グループに含まれる他の１つの情報を復号化するために、および／または、グループに含まれる他の１つの情報を検証するために使用される。図６にかかる第５のオブジェクト１では、論理鍵１２は、少なくとも２つのサブ領域４、５から構成され、暗号化される情報１３は、光学的に識別可能なパターン３によって判定される。しかしながら、論理鍵１２が、光学的に識別可能なパターン３から構成され、暗号化された情報が、少なくとも２つのサブ領域４、５から構成されることも考えられる。
【００３９】
図１〜図６にかかるオブジェクト１は、工業製品、イベントのためのチケット、地方公共交通機関のためのチケット、料金支払のためのチケット、駐車のためのチケット、注文のためのパッケージ、製品のためのパッケージ、および／または、薬剤のためのパッケージであってもよい。図１〜図６にかかるオブジェクト１の少なくとも２つのサブ領域４、５から、製品識別情報、製品バッチ番号、製造場所、製造日、有効期限８、オブジェクト１のための検定機関証明マーク１０、および／または、時間を予測することが可能である。
【００４０】
図１〜図６にかかるオブジェクト１へ情報を適用するための方法は、印刷領域２において互いに異なる磁気特性を有する少なくとも２つのサブ領域４、５を磁化する工程を有する。この方法はまた、印刷領域の接着剤の硬化前に、印刷媒体の磁化可能粒子および／または磁気粒子７が磁力線に沿って配向する磁場を印刷領域の少なくとも１つの部分に形成することにより、磁気的異方性領域を生成する工程を有する。この方法はまた、印刷領域の接着剤の硬化前に、磁化可能粒子および／または磁気粒子７が上記磁力線に沿って配向する印刷領域の上記部分における磁場とは反対の方向に磁力線が配向された別の磁場を形成することにより、別の磁気的異方性領域を生成する工程を有する。
【００４１】
図１〜図６にかかるオブジェクト１から情報を読み取るための方法は、パターン３から予測される光学的に符号化された情報を判定する工程と、磁気サブ領域４、５から磁気的に読み取られる磁気的に符号化された情報を判定する工程とを有する。磁気的に符号化された情報は、たとえば、誘導作用、ホール効果、および／または、磁気抵抗効果を測定することによって判定される。それに加えて、本方法は、光学的に符号化された情報と、磁気的に符号化された情報とに依存して、追加情報を判定する工程を有する。磁気的に符号化された情報は、パターンのサブ領域の磁気的異方性を有する。
【００４２】
本発明は、４つの例に基づいて、以下に、より詳細に説明されるであろう。
【００４３】
第１の例では、オブジェクト１は、印刷領域２を有し、印刷領域２では、光学的に識別可能なパターン３が提供される。このパターンは、磁化可能粒子および／または磁気粒子７を含むカラー印刷媒体を用いて印刷され、印刷領域２は、互いに異なる磁気特性を有する少なくとも２つのサブ領域４、５を有し、サブ領域４は、磁化可能粒子および／または磁気粒子７として、強磁性体粒子を有し、サブ領域５は、磁化可能粒子および／または磁気粒子７を有さない。
【００４４】
第１の例にかかるオブジェクト１は、サブ領域４のための印刷媒体が、強磁性体粒子を含み、サブ領域５のための印刷媒体が、強磁性体粒子を含まず、おのおの互いに異なる磁気特性を有する少なくとも２つのサブ領域４、５が、２つの異なる印刷媒体を使用することによって、印刷領域２において磁化されるように生成される。２つの印刷媒体は、同じ色であるか、または、異なる色であってもよい。
【００４５】
第２の例では、印刷領域２を備えたオブジェクト１へ情報を適用するための方法であって、印刷領域２内に、光学的に識別可能なパターン３が配置され、このパターンは、磁化可能粒子および／または磁気粒子７を含むカラー印刷媒体を用いて印刷され、本方法は、−パターン３の印刷前に印刷媒体を攪拌する工程、および／または、パターン３の印刷前に、個々の磁化可能粒子および／または磁気粒子７がふるいを通過できるが、粒子の集塊は、ふるいによって保持されるような寸法とされたメッシュ穴を有するふるいによって、印刷媒体を移す工程と、−印刷領域２において互いに異なる磁気特性を有する少なくとも２つのサブ領域４、５を磁化する工程とを有する。印刷媒体がインクである場合、第２の例は特に適切である。
【００４６】
第３の例では、オブジェクト１は印刷領域２を有し、印刷領域２では、光学的に識別可能なパターン３が配置され、このパターンは、印刷領域２が光学的に読み取り可能な情報を有するように、磁化可能粒子および／または磁気粒子７を含むカラー印刷媒体を用いて印刷され、印刷領域２は、印刷領域２が磁気的に読み取り可能な情報を含むように、互いに異なる磁気特性を有する少なくとも２つのサブ領域４、５を有し、光学的に識別可能な情報と、磁気的に読み取り可能な情報とは、同じ情報を含む。この場合、パターン３が、サブ領域４、５のうちの少なくとも１つに対して同一であることが可能である。少なくとも１つのサブ領域４、５が、パターン３と異なるようになることもまた同様に可能である。この場合、たとえば、パターン３が書き込んでおり、少なくとも２つのサブ領域４、５が、２進数符号を形成する。
【００４７】
第４の例では、オブジェクト１は、印刷領域２を有し、印刷領域２では、光学的に識別可能なパターン３が配置され、このパターンは、磁化可能粒子および／または磁気粒子７を含むカラー印刷媒体を用いて印刷され、印刷領域２は、互いに異なる磁気特性を有する少なくとも２つのサブ領域４、５を有する。サブ領域４、５から磁気的に読み取り可能な情報と、光学的に識別可能なパターン３内に含まれる、光学的に読み取り可能な情報とを含むグループからの情報が、グループに含まれる他の情報に依存して評価される。グループからの情報は、論理鍵１２を有し、論理鍵１２は、グループに含まれる他の情報を復号化するために、および／または、グループに含まれる他の１つの情報を検証するために使用される。この場合におけるサブ領域４、５のうちの少なくとも１つは、正方形であり、論理鍵１２は、正方形のサイズである。あるいは、パターン３は、正方形を有し、論理鍵１２は、正方形のサイズである。
【符号の説明】
【００４８】
１...オブジェクト
２...印刷領域
３...パターン
４...第１のサブ領域
５...第２のサブ領域
６...非均質領域
７...磁化可能粒子および／または磁気粒子
８...有効期限
９...使用法情報
１０...証明マーク
１１...２進数符号
１２...論理鍵
１３...暗号化された情報
１４...縁部
【図１】
2019509187.tif 000003
【図２】
2019509187.tif 000004
【図３】
2019509187.tif 000005
【図４】
2019509187.tif 000006
【図５】
2019509187.tif 000007
【図６】
2019509187.tif 000008
【国際調査報告】
2019509187.tif 000009
2019509187.tif 000010
2019509187.tif 000011
2019509187.tif 000012
2019509187.tif 000013
2019509187.tif 000014